(57)【要約】【課題】非接触で駆動する状態を外部から視認させやすく、かつ、磁気に起因してユーザ等に与える悪影響が少ない非接触伝達機構を備えたレコードプレーヤを提供する。【解決手段】レコードプレーヤ１０は、ターンテーブル１１と、駆動モータ１２と、非接触伝達機構１３と、トーンアーム１４と、筐体１６とを備える。非接触伝達機構１３は、駆動側回転体２８と、磁性部２１とを備える。駆動側回転体２８は、駆動モータ１２の駆動力により回転する。駆動側回転体２８は、永久磁石３２から構成される。磁性部２１は、軟磁性体から構成される。永久磁石３２から磁性部２１へ作用する吸引力により、駆動側回転体２８の回転に伴って、ターンテーブル１１を従動回転させる。【選択図】図１
2019016419.tif 000002
【特許請求の範囲】
【請求項１】
レコードが載置されるターンテーブルと、
前記ターンテーブルを回転させる駆動力を発生する駆動モータと、
前記駆動モータの駆動力を磁力によって非接触で前記ターンテーブルに伝達する非接触伝達機構とを備えており、
前記非接触伝達機構は、
磁力を発生する永久磁石を有し、前記駆動モータの駆動力により回転する駆動側回転体と、
前記ターンテーブルの外周部において全周に渡って設けられ、かつ、前記永久磁石と部分的に対向する状態で配置され、前記永久磁石の磁力によって前記永久磁石からの吸引力が作用する磁性部であって、前記永久磁石の磁界中にある間だけ磁化されて、前記磁界外に退避すると磁力が残らない特性を持つ軟磁性体で構成された磁性部とを有し、
前記永久磁石から前記磁性部に作用する前記吸引力により、前記駆動側回転体の回転に伴って前記ターンテーブルを従動回転させるレコードプレーヤ。
【請求項２】
前記駆動側回転体において、前記永久磁石は、Ｎ極とＳ極の各磁極が等間隔で周方向に交互に配列されており、
前記ターンテーブルにおいて、前記磁性部は、前記永久磁石からの磁力の影響の大きさが相対的に大きい第１部分と相対的に小さい第２部分とが等間隔で周方向に交互に配列されて構成されている請求項１に記載のレコードプレーヤ。
【請求項３】
前記磁性部において、前記第１部分は、前記永久磁石と対向する部分において前記永久磁石に向かって突出する凸部であり、前記第２部分は、前記凸部よりも前記永久磁石との間隔が開く方向に凹んでいる凹部であり、
前記対向する部分において、１つの前記凹部を挟んで隣接する２つの前記凸部のうちの一方は前記Ｎ極と対向し、他方は前記Ｎ極に隣接する前記Ｓ極と対向するように、前記磁性部の各前記凸部の間隔が規定されている請求項２に記載のレコードプレーヤ。
【請求項４】
前記磁性部は、前記ターンテーブルの外周に沿って形成され、かつ、周方向において等間隔で複数の開口部を有する環状体であり、
前記環状体において、前記第２部分は、前記開口部であり、前記第１部分は、隣接する前記開口部を繋ぐ周面部であり、
前記永久磁石と対向する部分において、１つの前記開口部を挟んで隣接する２つの前記周面部のそれぞれに、前記Ｎ極と前記Ｓ極の境界が対向するように、前記環状体の各前記周面部の間隔が規定されている請求項２に記載のレコードプレーヤ。
【請求項５】
前記磁性部は、前記ターンテーブルの前記外周部において、前記ターンテーブルの回転軸と平行な側面に設けられており、
前記永久磁石は、前記駆動側回転体の外周部において、前記駆動側回転体の回転軸と平行な側面に設けられており、
前記ターンテーブルと前記前記駆動側回転体とは、それぞれの回転軸が平行な状態で、かつ、それぞれの前記側面同士が対向する状態で配置されている請求項１〜４のいずれか１項に記載のレコードプレーヤ。
【請求項６】
前記磁性部は、前記ターンテーブルの前記外周部において、前記ターンテーブルの回転軸と直交する平面に設けられており、
前記永久磁石は、前記駆動側回転体の外周部において、前記駆動側回転体の回転軸と直交する平面に設けられており、
前記ターンテーブルと前記駆動側回転体とは、それぞれの回転軸が平行な状態で、かつ、それぞれの前記平面同士が対向する状態で配置されている請求項１〜４のいずれか１項に記載のレコードプレーヤ。
【請求項７】
前記軟磁性体は、電磁純鉄又はケイ素鉄である請求項１〜６のいずれか１項に記載のレコードプレーヤ。
【請求項８】
前記ターンテーブルおよび前記駆動側回転体が回転自在に取り付けられる筐体を備えている請求項１〜７のいずれか１項に記載のレコードプレーヤ。
【請求項９】
前記駆動側回転体は、前記筐体の正面から見て、前記ターンテーブルの回転軸よりも背面側に配置されている請求項８に記載のレコードプレーヤ。
【請求項１０】
前記筐体には、前記ターンテーブルの側方にトーンアームが配置されており、
前記駆動側回転体は、前記ターンテーブルを挟んで前記トーンアームとは反対側に配置されている請求項９に記載のレコードプレーヤ。
【請求項１１】
前記ターンテーブルは、下方部分が前記筐体内に埋め込まれる形態で設けられており、前記磁性部は前記下方部分に設けられており、
前記駆動側回転体は、前記下方部分と対向するように前記筐体内に配置されており、
さらに、前記筐体には、前記駆動側回転体と前記磁性部とが対向する部分を外部から視認するための透明板が設けられている請求項１０記載のレコードプレーヤ。
【請求項１２】
前記駆動側回転体の周囲を覆って磁力を遮蔽するシールド部材を設けた請求項８〜１１のいずれか１項に記載のレコードプレーヤ。
【発明の詳細な説明】
【技術分野】
【０００１】
本発明は、レコードプレーヤに関するものである。
【背景技術】
【０００２】
従来、レコードプレーヤにおいて、ターンテーブルを回転駆動させる駆動力伝達機構は、ベルトドライブ方式と、ダイレクトドライブ方式とが公知である。ベルトドライブ方式は、駆動モータとターンテーブルとの間に掛けられたベルトを介して回転力が伝達される。ダイレクトドライブ方式は、ターンテーブルと同軸上に配され、かつ駆動軸がターンテーブルにリジッドに結合された駆動モータにより回転力をターンテーブルに直接伝達させる。
【０００３】
ところで、ターンテーブル用の駆動力伝達機構ではないが、駆動力伝達機構としては、磁力により非接触で駆動モータの回転力を駆動側回転体から従動側回転体に伝達する非接触伝達機構が知られている（特許文献１、２）。特許文献１では、駆動側回転体および従動側回転体として、円周部にＮ極とＳ極とが交互に多極着磁された磁性円板（強磁性体）を用いている。特許文献２では、Ｎ極とＳ極とが交互に配された多極磁石から構成される駆動側回転体と、少なくとも一部分に強磁性体を使用する従動側回転体とを備える。
【先行技術文献】
【特許文献】
【０００４】
【特許文献１】特開２００５−８３４８７号公報
【特許文献２】特開２００１−２５１８４４号公報
【発明の概要】
【発明が解決しようとする課題】
【０００５】
駆動モータが発生する振動は、ターンテーブルに伝達されるとレコード再生に悪影響を与える。ベルトドライブ方式およびダイレクトドライブ方式の駆動力伝達機構では、機械的な結合により駆動モータの回転力を伝達するため、駆動モータの振動がターンテーブルに伝達されてしまうことを回避しきれない。そこで、発明者らは、駆動モータの回転力をターンテーブルに伝達する伝達機構として、特許文献１、２に記載されているような非接触伝達機構を採用することを検討している。
【０００６】
また、レコードプレーヤなどのオーディオ機器のユーザには、高音質を追求するばかりでなく、オーディオ機器の高品位な外観や特殊な機構を視覚的に楽しむユーザも多い。発明者らには、このようなユーザの嗜好に合わせて、外部から視認可能な形態で非接触伝達機構をレコードプレーヤに組み込みたいという要望がある。
【０００７】
しかしながら、このような発明者らの要望を満足しつつ、特許文献１、２に記載の非接触伝達機構をレコードプレーヤに組み込むには、次のような問題があった。すなわち、特許文献１、２記載の駆動力伝達機構では、従動側回転体に強磁性体を使用している。強磁性体は、常に磁力を保持している。
【０００８】
非接触伝達機構を外部から視認可能とするためには、ターンテーブルの外周付近に強磁性体を配置することが好ましいが、ターンテーブルの外周付近に強磁性体が配置されると、強磁性体がユーザの近くに置かれることになるため、磁気に起因してユーザ等に悪影響を及ぼす懸念がある。ユーザに及ぼす悪影響の対象としては、例えば、ユーザが保有するクレジットカードなど磁気情報を記録した磁気カードやアナログ時計などが考えられる。
【０００９】
また、レコードプレーヤのピックアップ機構として機能するカートリッジは、レコード針と、コイルと、永久磁石を備え、レコード針の振動をコイルおよび永久磁石で電気信号に変換して出力する構造を有する。そのため、カートリッジの近傍に、常に磁力を保持している強磁性体があると、カートリッジの信号変換に悪影響を及ぼす懸念がある。
【００１０】
本発明は、非接触で駆動する状態を外部から視認させやすく、かつ、磁気に起因してユーザ等に与える悪影響が少ない非接触伝達機構を備えたレコードプレーヤを提供することを目的とする。
【課題を解決するための手段】
【００１１】
上記目的を達成するために、本発明のレコードプレーヤは、ターンテーブルと、駆動モータと、非接触伝達機構とを備えており、非接触伝達機構は、駆動側回転体と、磁性部とを有し、永久磁石から磁性部に作用する吸引力により、駆動側回転体の回転に伴ってターンテーブルを従動回転させている。ターンテーブルは、レコードが載置される。駆動モータは、ターンテーブルを回転させる駆動力を発生する。非接触伝達機構は、駆動モータの駆動力を磁力によって非接触でターンテーブルに伝達する。駆動側回転体は、磁力を発生する永久磁石を有し、駆動モータの駆動力により回転する。磁性部は、ターンテーブルの外周部において全周に渡って設けられ、かつ、永久磁石と部分的に対向する状態で配置され、永久磁石の磁力によって永久磁石からの吸引力が作用する磁性部であって、永久磁石の磁界中にある間だけ磁化されて、磁界外に退避すると磁力が残らない特性を持つ軟磁性体で構成されている。
【００１２】
駆動側回転体において、永久磁石は、Ｎ極とＳ極の各磁極が等間隔で周方向に交互に配列されており、ターンテーブルにおいて、磁性部は、永久磁石からの磁力の影響の大きさが相対的に大きい第１部分と相対的に小さい第２部分とが等間隔で周方向に交互に配列されて構成されていることが好ましい。
【００１３】
磁性部において、第１部分は、永久磁石と対向する部分において永久磁石に向かって突出する凸部であり、第２部分は、凸部よりも永久磁石との間隔が開く方向に凹んでいる凹部であり、対向する部分において、１つの凹部を挟んで隣接する２つの凸部のうちの一方はＮ極と対向し、他方はＮ極に隣接するＳ極と対向するように、磁性部の各凸部の間隔が規定されていることが好ましい。
【００１４】
磁性部は、ターンテーブルの外周に沿って形成され、かつ、周方向において等間隔で複数の開口部を有する環状体であり、環状体において、第２部分は、開口部であり、第１部分は、隣接する開口部を繋ぐ周面部であり、永久磁石と対向する部分において、１つの開口部を挟んで隣接する２つの周面部のそれぞれに、Ｎ極とＳ極の境界が対向するように、環状体の各周面部の間隔が規定されていることが好ましい。
【００１５】
磁性部は、ターンテーブルの外周部において、ターンテーブルの回転軸と平行な側面に設けられており、永久磁石は、駆動側回転体の外周部において、駆動側回転体の回転軸と平行な側面に設けられており、ターンテーブルと駆動側回転体とは、それぞれの回転軸が平行な状態で、かつ、それぞれの側面同士が対向する状態で配置されていることが好ましい。
【００１６】
磁性部は、ターンテーブルの外周部において、ターンテーブルの回転軸と直交する平面に設けられており、永久磁石は、駆動側回転体の外周部において、駆動側回転体の回転軸と直交する平面に設けられており、ターンテーブルと駆動側回転体とは、それぞれの回転軸が平行な状態で、かつ、それぞれの平面同士が対向する状態で配置されていることが好ましい。
【００１７】
軟磁性体は、電磁純鉄又はケイ素鉄であることが好ましい。
【００１８】
ターンテーブルおよび駆動側回転体が回転自在に取り付けられる筐体を備えていることが好ましい。駆動側回転体は、筐体の正面から見て、ターンテーブルの回転軸よりも背面側に配置されていることが好ましい。
【００１９】
筐体には、ターンテーブルの側方にトーンアームが配置されており、駆動側回転体は、ターンテーブルを挟んでトーンアームとは反対側に配置されていることが好ましい。
【００２０】
ターンテーブルは、下方部分が筐体内に埋め込まれる形態で設けられており、磁性部は下方部分に設けられており、駆動側回転体は、下方部分と対向するように筐体内に配置されており、さらに、筐体には、駆動側回転体と磁性部とが対向する部分を外部から視認するための透明板が設けられていることが好ましい。
【００２１】
駆動側回転体の周囲を覆って磁力を遮蔽するシールド部材を設けていることが好ましい。
【発明の効果】
【００２２】
本発明によれば、ターンテーブルの外周部において軟磁性体で構成される磁性部を設けたから、非接触で駆動する状態を外部から視認可能で、かつ、磁気に起因してユーザに与える悪影響が少ない非接触伝達機構を備えたレコードプレーヤを提供することができる。
【図面の簡単な説明】
【００２３】
【図１】本発明のレコードプレーヤの斜視図である。
【図２】レコードプレーヤの要部断面図である。
【図３】非接触伝達機構を示す斜視図である。
【図４Ａ】駆動側回転体および磁性部が停止した状態における磁力線の向きを示す状態図である。
【図４Ｂ】駆動側回転体が回転をし始めた状態における磁力線の向きを示す状態図である。
【図４Ｃ】駆動側回転体に追従して磁性部が回転した状態における磁力線の向きを示す状態図である。
【図５】磁性部をターンテーブルの付属部品にした変形例の斜視図である。
【図６】第２実施形態のレコードプレーヤの斜視図である。
【図７】第２実施形態のレコードプレーヤの要部断面図である。
【図８】第２実施形態の非接触伝達機構を示す斜視図である。
【図９】第２実施形態の駆動側回転体および磁性部が停止した状態における磁力線の向きを示す状態図である。
【図１０】第３実施形態のレコードプレーヤの斜視図である。
【図１１】第３実施形態のレコードプレーヤの要部断面図である。
【図１２】第３実施形態の非接触伝達機構を示す斜視図である。
【図１３】第３実施形態の駆動側回転体および磁性部の一部分を示す斜視図である。
【図１４】第４実施形態のレコードプレーヤの斜視図である。
【図１５】第４実施形態のレコードプレーヤの要部断面図である。
【図１６】第４実施形態の非接触伝達機構を示す斜視図である。
【図１７】ターンテーブルおよび磁性部の構成を示す分解斜視図である。
【図１８】駆動側回転体の周囲を覆うシールド部材を設けた変形例の斜視図である。
【図１９】駆動モータを保持する保持部材を筐体と別体に設けた変形例の斜視図である。
【図２０】駆動モータを保持する保持部材を筐体と別体に設けた変形例の上面図である。
【発明を実施するための形態】
【００２４】
［第１実施形態］
［レコードプレーヤの概略構成］
図１に示すように、レコードプレーヤ１０は、ターンテーブル１１と、駆動モータ１２と、非接触伝達機構１３と、トーンアーム１４と、筐体１６とを備える。筐体１６の上面には、ターンテーブル１１とトーンアーム１４が取り付けられている。
【００２５】
ターンテーブル１１は、レコード１７を回転させるテーブルであり、平面形状が円形をしており、上面にレコード１７が載置される。スピンドル１８は、ターンテーブル１１を回転自在に支持する。スピンドル１８とターンテーブル１１は図示しない係合部によって係合し、スピンドル１８とターンテーブル１１は一緒に回転する。スピンドル１８は、ターンテーブル１１が取り付けられた状態では、先端がターンテーブル１１の上面中央から突出する。スピンドル１８の先端は、ターンテーブル１１上に載置されるレコード１７を取り付けるために使用される。筐体１６の天板１６ａには、軸受け１９（図２参照）が設けられている。スピンドル１８は、軸受け１９に挿入されて回転自在に支持されている。スピンドル１８は、ターンテーブル１１の回転軸Ｒ１１を構成する。
【００２６】
ターンテーブル１１は、外周部に磁性部２１を有する。この磁性部２１は、後述する駆動側回転体２８とともに非接触伝達機構１３を構成する。
【００２７】
筐体１６は、直方体形状をしており、底面四隅には筐体１６を支持する４個の脚部２２が設けられている。また、筐体１６には、回転速度切替スイッチ２３、スタート／ストップスイッチ２４、電源ボタン２６が設けられている。スタート／ストップスイッチ２４は、レコードプレーヤ１０の電源が投入されている状態で、ターンテーブル１１の回転と停止を切り替えるスイッチである。回転速度切替スイッチ２３は、ターンテーブル１１の回転数を、例えば、毎分３３+（１／３）回転と、毎分４５回転との間で切り替えるスイッチである。
【００２８】
トーンアーム１４は、ターンテーブル１１の側方に配置されている。トーンアーム１４の先端には、ピックアップ機構を構成するカートリッジ２７が着脱可能に設けられている。カートリッジ２７には、レコード針、コイル、および永久磁石（図示せず）が取り付けられている。カートリッジ２７において、レコード１７の溝に接触するレコード針が振動すると、コイルと永久磁石の一方が他方に対して振動する。カートリッジ２７は、コイルと永久磁石の電磁誘導の作用を通じて、レコード針の振動を電気信号に変換して出力する。
【００２９】
駆動モータ１２は、筐体１６の内部に取り付けられており、ターンテーブル１１を回転させる駆動力を発生する。なお、筐体１６に対する駆動モータ１２の取り付け構造については後述する。
【００３０】
レコード１７を再生する場合には、レコード１７は、中心の開口にスピンドル１８が挿通されて、ターンテーブル１１上に載置される。
【００３１】
そして、ターンテーブル１１が回転すると、レコード１７が回転する。回転するレコード１７上に、トーンアーム１４の先端のカートリッジ２７が移動されて、トーンアーム１４が下降すると、カートリッジ２７のレコード針がレコード１７の盤面と接触する。カートリッジ２７は、レコード針を通じて、レコード１７の音溝に応じた音声信号をピックアップして、これを電気信号に変換する。電気信号は、図示しないアンプを介して内蔵スピーカ、又は外付けのスピーカ、ヘッドホンなどに出力されて、レコード１７に記録された音声が再生される。
【００３２】
[非接触伝達機構]
図２および図３に示すように、非接触伝達機構１３は、ターンテーブル１１の外周部に設けられた磁性部２１と、駆動側回転体２８とを備える。駆動側回転体２８は、駆動モータ１２の駆動軸１２Ａとリジッドに結合され、駆動モータ１２の駆動力により回転する。
【００３３】
駆動モータ１２は、保持部２９に保持されている。保持部２９は、基板２９ａ、スペーサ部材２９ｂ、固定板２９ｃとを備える。駆動モータ１２は、基板２９ａ上に固定されている。スペーサ部材２９ｂは、基板２９ａと固定板２９ｃとを、両者の間に所定の間隔を空けた状態で保持する。
【００３４】
駆動モータ１２は、スペーサ部材２９ｂによって基板２９ａと固定板２９ｃとの間に形成された空間に配されている。固定板２９ｃは、筐体１６の天板１６ａに対して、例えば
防振ブッシュ３０Ａおよび段付きネジ３０Ｂを介して取り付けられている。防振ブッシュ３０Ａは、ゴムなどの弾性体から構成され、上下にフランジ部を有する略円筒形状に形成されている。防振ブッシュ３０Ａは、天板１６ａの複数個所に嵌め込まれている。
【００３５】
防振ブッシュ３０Ａの内周面に段付きネジ３０Ｂが挿入され、固定板２９ｃに形成されたネジ穴に段付きネジ３０Ｂの先端部が螺合することにより天板１６ａと固定板２９ｃとが連結されている。これにより、保持部２９、防振ブッシュ３０Ａおよび段付きネジ３０Ｂを介して駆動モータ１２が筐体１６の内部に取り付けられている。駆動モータ１２の駆動軸１２Ａは、固定板２９ｃおよび天板１６ａに形成された貫通穴２９ｄおよび貫通穴１６ｂを貫通して筐体１６の天板１６ａから上方に突出している。駆動モータ１２が防振ブッシュ３０Ａを介して筐体１６に取り付けられているため、駆動モータ１２の振動を防振ブッシュ３０Ａが吸収する。これにより、駆動モータ１２の振動がターンテーブル１１に伝達することを防止することができる。
【００３６】
駆動側回転体２８は、保持部２９、防振ブッシュ３０Ａ、段付きネジ３０Ｂおよび駆動モータ１２を介して、筐体１６に回転自在に取り付けられている。駆動側回転体２８は、円柱部３１と、永久磁石３２とが一体に設けられている。円柱部３１は、非磁性体で構成されている。円柱部３１は、筐体１６から突出している駆動軸１２Ａによって中心が貫通されて、駆動軸１２Ａに取り付けられている。駆動側回転体２８は、駆動軸１２Ａの回転により回転し、駆動軸１２Ａは、駆動側回転体２８の回転軸Ｒ１２を構成する。
【００３７】
永久磁石３２は、円筒形状に形成されており、円柱部３１の外周面に沿って配されている。永久磁石３２は、硬磁性体を多極着磁したものであり、具体的には、Ｎ極とＳ極の各磁極が等間隔で周方向に交互に配列されている。本実施形態では、永久磁石３２は、例えば、１８極に着磁されており、すなわち、Ｎ極とＳ極を各９個備えている（図４Ａ〜図４Ｃ参照）。
【００３８】
永久磁石３２は、駆動側回転体２８の外周部において、駆動側回転体２８の回転軸Ｒ１２と平行な側面に設けられている。ターンテーブル１１と駆動側回転体２８とは、それぞれの回転軸Ｒ１１，Ｒ１２が平行な状態で、かつ、それぞれの側面同士が対向する状態で配置されている。
【００３９】
図１に示したように、駆動側回転体２８は、筐体１６の正面１６ｃから見て、ターンテーブル１１の回転軸Ｒ１１よりも背面側に配置されている。なお、筐体１６の正面１６ｃとは、レコードプレーヤ１０を設置する場合に前面に位置する面であり、例えば、筐体１６の天板１６ａに接する４つの面のうち、カートリッジ２７に最も近い面を正面としている。また、駆動側回転体２８は、ターンテーブル１１を挟んでトーンアーム１４とは反対側に配置されている。
【００４０】
磁性部２１は、軟磁性体で構成されている。磁性部２１は、ターンテーブル１１の外周部において全周に渡って設けられている。本例においては、磁性部２１はターンテーブル１１と一体に形成されている。すなわち、ターンテーブル１１も軟磁性体で構成されている。ここで、軟磁性体は、磁石の磁界中にある間だけ磁化されて、磁界外に退避すると磁力が残らない特性を持つものをいう。このような軟磁性体として、例えば、電磁純鉄又はケイ素鉄が用いられる。
【００４１】
上述したように、カートリッジ２７は、コイルおよび永久磁石を備えているため、磁気による影響を受ける。磁気による影響は、音声信号の読み出し品質の低下を招く懸念がある。本例では、永久磁石３２を備えた駆動側回転体２８は、ターンテーブル１１を挟んで反対側に配されている。そのため、筐体１６において、カートリッジ２７から離れた位置に永久磁石３が配されているため、カートリッジ２７は、永久磁石３２の磁力による影響を受けにくい。
【００４２】
また、ターンテーブル１１の外周部には磁性部２１が設けられており、磁性部２１は永久磁石３２によって磁化される。そして、磁性部２１は、カートリッジ２７の近傍に配置される。しかし、磁性部２１は、軟磁性体で構成されているため、磁性部２１において、永久磁石３２の近傍に位置する部分は磁化されるものの、永久磁石３２の磁界外に退避する部分には、磁力が残らない。そのため、筐体１６において、永久磁石３２から離れた位置にあるカートリッジ２７に対しては、磁性部２１からの磁気の影響も少ない。そのため、カートリッジ２７の音声信号の読み出し品質が低下する懸念も少ない。
【００４３】
磁性部２１は、ターンテーブル１１の外周部において、回転軸Ｒ１１と平行な側面に設けられている。磁性部２１は、永久磁石３２と部分的に対向する状態で配置され、磁性部２１には、永久磁石３２の磁力によって永久磁石３２からの吸引力が作用する。ターンテーブル１１は、永久磁石３２から磁性部２１へ作用する吸引力により、駆動側回転体２８の回転に伴って従動回転する。
【００４４】
磁性部２１は、凸部３３と凹部３４とが等間隔で周方向に交互に配列して構成された歯車形状を有する。凸部３３および凹部３４は、特許請求の範囲における第１部分および第２部分にそれぞれ相当する。
【００４５】
凸部３３は、永久磁石３２と対向する部分において永久磁石３２に向かって突出する凸部である。本実施形態では、ターンテーブル１１と駆動側回転体２８とは側面同士が対向して配されているため、凸部３３は、ターンテーブル１１の径方向に突出している。凹部３４は、凸部３３よりも永久磁石３２との間隔が開く方向に凹んでいる凹部である。これにより、凸部３３は凹部３４よりも永久磁石３２からの磁力の影響の大きさが相対的に大きく、凹部３４は凸部３３よりも永久磁石３２からの磁力の影響の大きさが相対的に小さくなっている。
【００４６】
磁性部２１のうち永久磁石３２と対向する部分において、１つの凹部３４を挟んで隣接する２つの凸部３３の一方は永久磁石３２のＮ極と対向し、他方はＮ極に隣接するＳ極と対向するように、磁性部２１の各凸部３３の間隔が規定されている。本実施形態では、磁性部２１は、例えば、２１６個の凸部３３および凹部３４を有する。
【００４７】
レコードプレーヤ１０の構成部品の中で、ターンテーブル１１は外径が最も大きな部品である。そのターンテーブル１１の外周部に磁性部２１が設けられており、それにより、ターンテーブル１１は、駆動側回転体２８に対する従動側回転体として機能する。このように外径が大きなターンテーブル１１が従動側回転体として機能するため、駆動モータ１２及び駆動側回転体２８の回転数に対するターンテーブル１１の回転数の比に相当する減速比を大きくすることができる。
【００４８】
本実施形態では、１８極の磁極数を持つ駆動側回転体２８に対して、磁性部２１は、各磁極に対応する凸部３３が２１６個形成されている。この場合の減速比は、２１６：１８＝１２：１である。ターンテーブル１１の回転速度は、レコードの規格によって決まっているため、減速比が大きいほど、駆動側回転体２８及び駆動モータ１２の回転速度を速くすることができる。駆動側回転体２８及び駆動モータ１２の回転速度が速いほど、回転ムラが低減し、回転ムラが少ないほど、音質が向上する。このため、ターンテーブル１１の外周部に磁性部２１を設けることにより、回転ムラの低減が可能になり、その結果、音質が向上する効果が期待できる。
【００４９】
また、回転ムラを低減するためには、ターンテーブル１１が重い方が、慣性モーメントが大きくなるため、有利である。しかしながら、ターンテーブル１１を重くすると大きな回転力が必要になるが、上述したように、駆動モータ１２に対するターンテーブル１１の減速比を大きくすることができるので、大きな回転力を伝えやすい。ターンテーブル１１の外周部に磁性部２１を設けることの効果には、このような効果もある。
【００５０】
上記構成の非接触伝達機構１３が作動する原理について説明する。図４Ａに示すように、軟磁性体である磁性部２１において、永久磁石３２の近傍に位置する部分は、永久磁石によって磁化される。例えば、磁性部２１において、永久磁石３２と対向する部分は、Ｎ極と対向する凸部３３がＳ極となり、Ｓ極と対向する凸部３３がＮ極となり、永久磁石３２と磁性部２１のそれぞれの磁極間で吸引力が発生する。
【００５１】
図４Ａに示すように、永久磁石３２と磁性部２１との間に生じる磁束Ｍは、永久磁石３２のＮ極から凸部３３に向かい、磁性部２１の内部を通り、凹部３４を挟んで隣接する凸部３３の先端から、永久磁石３２のＳ極へ向かう。磁束Ｍは、磁束の通り道となる磁路が最短になるように形成される。図４Ａに示すように、永久磁石３２と磁性部２１の各磁極が対向している場合は、各磁極間において磁束Ｍは直線で結ばれる。
【００５２】
図４Ｂに示すように、駆動モータ１２の駆動力により駆動側回転体２８が回転し始めると、永久磁石３２と磁性部２１の各磁極間（二点鎖線で囲まれた範囲内）の磁束Ｍが湾曲する。各磁極間で磁束Ｍが湾曲した場合、永久磁石３２が発する磁力は、磁束Ｍの磁路が最短になるように、すなわち、図４Ｂにおける磁束Ｍの湾曲部分が直線に戻るように磁性部２１に作用する。この磁力は、永久磁石３２が磁性部２１を吸引する吸引力として作用する。図４Ｃに示すように、この吸引力が、駆動側回転体２８の回転に追従してターンテーブル１１を回転させる回転力として、ターンテーブル１１に伝達される。
【００５３】
また、上述のとおり、磁性部２１は軟磁性体であるため、永久磁石３２の磁界中にある部分は、磁化されるが、磁界外に退避すると、磁力が残らない。そのため、磁性部２１において、永久磁石３２の磁界外に退避した部分については、磁力を発することはなく、磁性部２１において永久磁石３２の磁界外の部分が周囲に対して磁気の影響を及ぼすことはない。
【００５４】
非接触伝達機構１３は、駆動モータ１２の駆動力を磁力によって非接触でターンテーブル１１に伝達することができる。そのため、音質に影響を与える、駆動モータ１２の振動がターンテーブル１１に伝達されるのを抑制できる。
【００５５】
以上のように、レコードプレーヤ１０は、非接触でターンテーブル１１を駆動する状態を外部から視認可能で、かつ、磁気に起因してユーザや音質に与える悪影響が少ない非接触伝達機構１３を備えている。
【００５６】
具体的には、ターンテーブル１１の外周部において、駆動側回転体２８の永久磁石３２と対向する磁性部２１が設けられているため、ターンテーブルの裏面の回転軸の近傍などに磁性部を設ける場合と比較して、非接触で駆動する状態を外部から視認させやすい。
【００５７】
加えて、磁性部２１は、永久磁石３２の磁界中にある間だけ磁化されて、磁界外に退避すると磁力が残らない特性を持つ軟磁性体で構成されている。そのため、例えば、磁性部が永久磁石であったり、磁力が残る特性を持つ硬磁性体である場合と比較して、ターンテーブル１１において磁化される部分が限定されるため、ユーザが頻繁にアクセスするターンテーブル１１の外周部に磁性部２１が設けられていても、磁気に起因してユーザに与える悪影響が少ない。
【００５８】
また、磁性部２１に軟磁性体を使用することにより、次のような効果もある。従来技術（特許文献１、２参照）のように、駆動側回転体及び従動側回転体の両方を磁石又は強磁性体にするとお互いの吸引力が高くなり軸受けの負荷が高くなる。そのため、軸受けの劣化が早い。これに対して永久磁石３２と軟磁性体である磁性部２１の組み合わせであるレコードプレーヤ１０は、軸受け１９の劣化を低減することができる。また、高価な磁石又は強磁性体の使用量を減らすことができるため、レコードプレーヤ１０のコスト低減も可能である。
【００５９】
さらに、上述のとおり、ターンテーブル１１の外周部に磁性部２１を設けたことにより、減速比の増大による回転ムラの低減効果が期待できる。加えて、磁性部２１を軟磁性体で構成し、かつ、筐体１６において、駆動側回転体２８の永久磁石３２をカートリッジ２７から相対的に離れた位置に配置することで、カートリッジ２７に対する磁気に起因する悪影響も低減することができる。
【００６０】
上記第１実施形態では、磁性部２１は、ターンテーブル１１と一体に形成しているが、図５に示すように、ターンテーブル１１の外周部に磁性部２１を付属部品として取り付ける形態でもよい。この場合、例えば、ターンテーブル１１には、下面から突出する円形状のボス１１ａが形成され、環状に形成された磁性部２１がボス１１ａに嵌合されて一体化される。
【００６１】
［第２実施形態］
図６〜図９は、第２実施形態を示す。上記第１実施形態では、非接触伝達機構を構成する磁性部として、凸部（第１部分）と、凹部（第２部分）とが周方向に交互に配列された歯車形状の磁性部を使用している。これに対して、図６に示すように、第２実施形態のレコードプレーヤ４０は、非接触伝達機構を構成する磁性部として、ターンテーブルの外周に沿って形成された環状体であって、周方向において等間隔で複数の開口部が形成された環状体を使用する。磁性部としての環状体において、隣接する開口部を繋ぐ周面部が第１部分、開口部が第２部分に相当する。このように、磁性部は、凹凸形状の形態に限られず、凹部の代わりに開口を利用した形態としてもよい。
【００６２】
また、第２実施形態のレコードプレーヤ４０では、駆動側回転体および磁性部を筐体内に配し、駆動側回転体と磁性部とが対向する部分を外部から視認可能にするための透明板が筐体に設けられている。この点が、筐体の外観上において、上記第１実施形態とは異なる点である。第２実施形態では、第１実施形態と同一の部材については同一の符号を示して説明を省略し、第１実施形態との相違点を中心に説明する。
【００６３】
レコードプレーヤ４０は、ターンテーブル４１と、駆動モータ４２と、非接触伝達機構４３と、トーンアーム１４と、筐体４６とを備える。
【００６４】
ターンテーブル４１は、上記第１実施形態のターンテーブル１１と同様、平面形状が円形をしており、上面にレコード１７が載置される。スピンドル４８は、軸受け４９（図７参照）に挿入されて回転自在に支持されている。スピンドル４８は、ターンテーブル４１の回転軸Ｒ２１を構成する。
【００６５】
筐体４６は、内部フレーム４６ａと、ケース４６ｂと、透明板４６ｃとを備えている。図７に示すように、内部フレーム４６ａは、ケース４６ｂ内に収容されており、駆動モータ４２や軸受け４９などの部品が取り付けられる取付基板である。駆動モータ４２は、ターンテーブル４１を回転させる。
【００６６】
ケース４６ｂの天板４６ｄには、開口部４６ｅが形成されている。ターンテーブル４１は、下方部分が開口部４６ｅを通してケース４６ｂ内に埋め込まれる形態で設けられている。ターンテーブル４１の下方部分とともに、後述する駆動モータ４２の駆動軸４２Ａに結合される駆動側回転体５３もケース４６ｂの内部に配置される。これにより、駆動側回転体５３が発する磁力のシールド効果を高めることが可能になる。
【００６７】
内部フレーム４６ａに対する駆動モータ４２の取り付け構造は、上記第１実施形態の筐体１６に対する駆動モータ１２の取り付け構造と同様であり、保持部２９、防振ブッシュ３０Ａおよび段付きネジ３０Ｂを介して駆動モータ４２が内部フレーム４６ａに取り付けられている。これにより、駆動モータ４２の振動がターンテーブル４１に伝達することを防止することができる。
【００６８】
駆動モータ４２の駆動軸４２Ａは、固定板２９ｃおよび内部フレーム４６ａに形成された貫通穴２９ｄおよび貫通穴４６ｆを貫通して内部フレーム４６ａの上方に突出している。
【００６９】
図８に示すように、非接触伝達機構４３は、磁性部５１と、駆動側回転体５３とを備える。駆動側回転体５３は、駆動モータ４２の駆動軸４２Ａとリジッドに結合され、駆動モータ４２の駆動力により回転する。
【００７０】
駆動側回転体５３は、保持部２９、防振ブッシュ３０Ａ、段付きネジ３０Ｂおよび駆動モータ４２を介して、内部フレーム４６ａに回転自在に取り付けられている。駆動側回転体５３は、上記第１実施形態の駆動側回転体２８と同様に、円柱部３１と、永久磁石３２とが一体に設けられ、永久磁石３２は、例えば１８極に着磁されている。円柱部３１は、内部フレーム４６ａから突出している駆動軸４２Ａによって中心が貫通され、駆動軸４２Ａと一緒に回転する。駆動軸４２Ａは、駆動側回転体５３の回転軸Ｒ２２を構成する。
【００７１】
永久磁石３２は、駆動側回転体５３の外周部において、駆動側回転体５３の回転軸Ｒ２２と平行な側面に設けられている。ターンテーブル４１と駆動側回転体５３とは、それぞれの回転軸Ｒ２１，Ｒ２２が平行な状態で、かつ、それぞれの側面同士が対向する状態で配置されている。
【００７２】
駆動側回転体５３は、上記第１実施形態の駆動側回転体２８と同様に、筐体４６の正面４６ｇから見て、ターンテーブル４１の回転軸Ｒ２１よりも背面側に配置されている。また、駆動側回転体５３は、ターンテーブル４１を挟んでトーンアーム１４とは反対側に配置されている。
【００７３】
磁性部５１は、上記第１実施形態の磁性部２１と同様に、ターンテーブル４１とともに軟磁性体で構成され、ターンテーブル４１の外周部において全周に渡って設けられている。磁性部５１は、ターンテーブル４１の外周部において，ターンテーブル４１の回転軸Ｒ２１と平行な側面に設けられている。磁性部５１は、永久磁石３２と部分的に対向する状態で配置され、永久磁石３２の磁力によって永久磁石３２からの吸引力が作用する。
【００７４】
磁性部５１は、ターンテーブル４１の下方部分に設けられている。駆動側回転体５３は、磁性部５１と対向するように筐体４６内に配置されている。ケース４６ｂには、ケース４６ｂ内の駆動側回転体５３が配置される部分に対応する位置に透明板４６ｃが設けられている。透明板４６ｃは、駆動側回転体５３と磁性部５１とが対向する部分が視認できる大きさで形成されている。この透明板４６ｃを通して、駆動側回転体５３がターンテーブル４１を非接触で駆動する状態を外部から視認することが可能である。
【００７５】
磁性部５１は、ターンテーブル４１の外周に沿って形成された環状体であり、この環状体には、等間隔で複数の開口部５１ａが形成されている。また、磁性部５１には、各開口部５１ａの間を繋ぐ周面部５１ｂが設けられている。各開口部５１ａ及び各周面部５１ｂは、それぞれ等間隔で周方向に交互に配列されている。
【００７６】
周面部５１ｂは開口部５１ａよりも永久磁石３２からの磁力の影響の大きさが相対的に大きく、開口部５１ａは周面部５１ｂよりも永久磁石３２からの磁力の影響の大きさが相対的に小さい。上述のとおり、各周面部５１ｂが第１部分に相当し、開口部５１ａが第２部分に相当する。
【００７７】
磁性部５１のうち永久磁石３２と対向する部分において、１つの開口部５１ａを挟んで隣接する２つの周面部５１ｂのそれぞれに、永久磁石３２のＮ極とＳ極の境界が対向するように、環状体である磁性部５１の各周面部５１ｂの間隔が規定されている。本実施形態では、例えば、磁性部５１は、２１６個の開口部５１ａおよび周面部５１ｂを有する。よって、駆動側回転体５３に対する磁性部５１の減速比、すなわち駆動モータ４２に対するターンテーブル４１の減速比は、上記第１実施形態と同様に１２：１である。
【００７８】
第２実施形態の非接触伝達機構４３の動作原理について、図９を参照しながら説明する。図９に示すように、軟磁性体である磁性部５１において、永久磁石３２の近傍に位置する部分は、第１実施形態と同様に、永久磁石３２によって磁化される。そして、第１実施形態と同様に、第２実施形態においても、永久磁石３２と磁性部５１の間において、磁束Ｍの磁路が最短で形成されるように、永久磁石３２が発する磁力が作用する。
【００７９】
第２実施形態では、磁性部５１のうち永久磁石３２と対向する部分において、各周面部５１ｂには、永久磁石３２のＮ極とＳ極の境界がそれぞれ対向する。そして、図９に示すように、各周面部５１ｂの略中央部と、Ｎ極とＳ極の境界が対向した状態で、磁束Ｍの磁路が最短となる。この状態では、１つの周面部５１ｂに対して、永久磁石３２の１つのＮ極とそのＮ極に隣接する１つのＳ極の両方が対向することになる。磁束Ｍは、永久磁石３２のＮ極から対向する１つの周面部５１に向かい、磁性部５１内で折り返して、同じ周面部５１から対向するＳ極へ向かう。これにより、永久磁石３２と磁性部５１のそれぞれの磁極間で吸引力が発生する。
【００８０】
第１実施形態と同様に、第２実施形態においても、駆動モータ４２の駆動力により駆動側回転体５３が回転して、各磁極間で磁束Ｍが湾曲すると、永久磁石３２の磁力は、磁束Ｍの磁路が最短になるように、すなわち、磁束Ｍの湾曲部分が直線に戻るように磁性部５１に作用する。この力が、永久磁石３２が磁性部５１を吸引する吸引力として作用する。この吸引力が、駆動側回転体５３の回転に追従してターンテーブル４１を回転させる回転力として、ターンテーブル４１に伝達される。
【００８１】
また、磁性部５１において、永久磁石３２の磁界外の部分が周囲に対して磁気の影響を及ぼすことがない点も、第１実施形態と同様である。
【００８２】
第２実施形態においても、ターンテーブル４１の外周部に磁性部５１を設けたことによる効果は、第１実施形態と同様である。なお、第２実施形態においては、下方部分に磁性部５１を有するターンテーブル４１は筐体４６内に埋め込まれる形態で設けられている。そのため、第１実施形態と異なり、非接触で駆動する状態を外部から視認させるためには、筐体４６の一部に取り付けられる透明板４６ｃが必要である。しかし、磁性部５１はターンテーブル４１の外周部に設けられているため、ターンテーブル４１の内周側に駆動側回転体５３や磁性部５１を設ける場合と比較して、非接触で駆動する状態を外部から視認させやすい。
【００８３】
第２実施形態における透明板４６ｃは一例であり、透明板４６ｃの大きさや形状は適宜変更が可能である。例えば、ケース４６ｂ全体を透明にしてもよい。
【００８４】
[第３実施形態］
図１０〜図１３は、第３実施形態を示す。上記第１および第２実施形態では、磁性部２１，５１は、ターンテーブル１１，４１の外周部において、ターンテーブル１１，４１の回転軸と平行な側面に設けられているが、図１０に示すように、第３実施形態のレコードプレーヤ６０は、ターンテーブルの外周部において、ターンテーブルの回転軸と直交する平面に磁性部を設けたものである。
【００８５】
なお、第３実施形態のレコードプレーヤ６０では、第２実施形態のレコードプレーヤ４０と同様に、駆動側回転体および磁性材を筐体内に配し、駆動側回転体と磁性部とが対向する部分を外部から視認可能にするための透明板が筐体に設けられている。第３実施形態では、第１および第２実施形態と同一の部材については同一の符号を示して説明を省略し、第１および第２実施形態との相違点を中心に説明する。
【００８６】
レコードプレーヤ６０は、ターンテーブル６１と、駆動モータ６２と、非接触伝達機構６３と、トーンアーム１４と、筐体４６とを備える。
【００８７】
ターンテーブル６１は、上記第１実施形態のターンテーブル１１と同様、平面形状が円形をしており、上面にレコード１７が載置される。スピンドル６８は、軸受け４９（図１１参照）に挿入されて回転自在に支持されている。スピンドル６８は、ターンテーブル６１の回転軸Ｒ３１を構成する。
【００８８】
図１１に示すように、ターンテーブル６１は、磁性部７１と一体に形成されている。ターンテーブル６１は、上記第２実施形態のターンテーブル４１と同様に、下方部分が開口部４６ｅを通してケース４６ｂ内に埋め込まれる形態で設けられている。ターンテーブル６１の下方部分とともに、後述する駆動モータ６２の駆動軸６２Ａに結合される駆動側回転体７３もケース４６ｂの内部に配置される。これにより、駆動側回転体７３が発する磁力のシールド効果を高めることが可能になる。
【００８９】
内部フレーム４６ａに対する駆動モータ６２の取り付け構造は、上記第１実施形態の筐体１６に対する駆動モータ１２の取り付け構造と同様であり、保持部２９、防振ブッシュ３０Ａおよび段付きネジ３０Ｂを介して駆動モータ６２が内部フレーム４６ａに取り付けられている。これにより、駆動モータ６２の振動がターンテーブル６１に伝達することを防止することができる。
【００９０】
駆動モータ６２の駆動軸６２Ａは、固定板２９ｃおよび内部フレーム４６ａに形成された貫通穴２９ｄおよび貫通穴４６ｆを貫通して内部フレーム４６ａの上方に突出している。
【００９１】
図１２に示すように、非接触伝達機構６３は、磁性部７１と、駆動側回転体７３とを備える。駆動側回転体７３は、駆動モータ６２の駆動軸６２Ａとリジッドに結合され、駆動モータ６２の駆動力により回転する。
【００９２】
駆動側回転体７３は、保持部２９、防振ブッシュ３０Ａ、段付きネジ３０Ｂおよび駆動モータ６２を介して、内部フレーム４６ａに回転自在に取り付けられている。駆動側回転体７３は、円板部７６と、永久磁石７７とが一体に設けられている。円板部７６は、内部フレーム４６ａから突出している駆動軸６２Ａによって中心が貫通され、駆動軸６２Ａと一緒に回転する。駆動軸６２Ａは、駆動側回転体７３の回転軸Ｒ３２を構成する。
【００９３】
永久磁石７７は、環状に形成され、円板部７６の上面に配されている。永久磁石７７は、駆動側回転体７３の外周部において、駆動側回転体７３の回転軸Ｒ３２と直交する平面７３ａに設けられている。永久磁石７７は、上記第１実施形態の永久磁石３２と同様に、硬磁性体を多極着磁したものであり、例えば、１８極に着磁されている。
【００９４】
駆動側回転体７３は、上記第１実施形態の駆動側回転体２８と同様に、筐体４６の正面４６ｇから見て、ターンテーブル６１の回転軸Ｒ３１よりも背面側に配置されている。また、駆動側回転体７３は、ターンテーブル６１を挟んでトーンアーム１４とは反対側に配置されている。
【００９５】
磁性部７１は、上記第１実施形態の磁性部２１と同様に、ターンテーブル６１とともに軟磁性体で構成され、ターンテーブル６１の外周部において全周に渡って設けられている。磁性部７１は、ターンテーブル６１の外周部において、ターンテーブル６１の回転軸Ｒ３１と直交する平面６１ａに設けられている。
【００９６】
磁性部７１は、ターンテーブル６１の下方部分に設けられている。ターンテーブル６１と駆動側回転体７３とは、それぞれの回転軸Ｒ３１，Ｒ３２が平行な状態で、かつ、それぞれの平面６１ａ，７３ａ同士が部分的に対向する状態で筐体４６内に配置されている。透明板４６ｃは、ケース４６ｂ内の駆動側回転体７３が配置される部分に対応する位置に設けられている。透明板４６ｃは、駆動側回転体７３と磁性部７１とが対向する部分が視認できる大きさで形成されている。上記第２実施形態と同様に、透明板４６ｃを通して、駆動側回転体７３がターンテーブル６１を非接触で駆動する状態を外部から視認することが可能である。
【００９７】
磁性部７１は、凸部７８と凹部７９とが等間隔で周方向に交互に配列して構成された冠歯車形状を有する。凸部７８および凹部７９は、特許請求の範囲における第１部分および第２部分にそれぞれ相当する。
【００９８】
凸部７８は、永久磁石７７と対向する部分において永久磁石７７に向かって突出する凸部である。本実施形態では、ターンテーブル６１と駆動側回転体７３とは平面６１ａ，７３ａ同士が対向して配されているため、凸部７８は、ターンテーブル６１の回転軸Ｒ３１と平行に突出している。凹部７９は、凸部７８よりも永久磁石７７との間隔が開く方向に凹んでいる凹部である。これにより、凸部７８は凹部７９よりも永久磁石７７からの磁力の影響の大きさが相対的に大きく、凹部７９は凸部７８よりも永久磁石７７からの磁力の影響の大きさが相対的に小さくなっている。
【００９９】
磁性部７１のうち永久磁石７７と対向する部分において、１つの凹部７９を挟んで隣接する２つの凸部７８の一方は永久磁石７７のＮ極と対向し、他方はＮ極に隣接するＳ極と対向するように、磁性部７１の各凸部７８の間隔が規定されている。本実施形態では、磁性部７１は、例えば、２１６個の凸部７８および凹部７９を有する。よって、駆動側回転体７３に対する磁性部７１の減速比、すなわち駆動モータ６２に対するターンテーブル６１の減速比は、上記第１及び第２実施形態と同様に１２：１である。
【０１００】
非接触伝達機構６３は、上記第１及び第２実施形態の非接触伝達機構１３，４３と同様に、ターンテーブル６１を非接触で駆動する。すなわち、図１３に示すように、軟磁性体である磁性部７１において、永久磁石７７の近傍に位置する部分は、永久磁石７７によって磁化される。例えば、磁性部７１において、永久磁石７７と対向する部分は、Ｎ極と対向する凸部７８がＳ極となり、Ｓ極と対向する凸部７８がＮ極となり、永久磁石３２と磁性部５１のそれぞれの磁極間で吸引力が発生する。
【０１０１】
なお、図１３では、磁性部７１と永久磁石７７との間に生じる磁束Ｍの図示を分かりやすくするため、磁性部７１と永久磁石７７との間を離して図示しているが、実際は、磁性部７１と永久磁石７７とが互いに近接して配されている。
【０１０２】
磁性部７１と永久磁石７７との間に生じる磁束Ｍは、永久磁石７７のＮ極から凸部７８に向かい、磁性部７１の内部を通り、凹部７９を挟んで隣接する凸部７８の先端から、永久磁石７７のＳ極へと向かう。磁束Ｍは、磁路が最短になるように形成される。駆動モータ６２の駆動力により駆動側回転体７３が回転して、各磁極間で磁束Ｍが湾曲すると、永久磁石７２の磁力は、磁束Ｍの磁路が最短になるように、すなわち、磁束Ｍの湾曲部分が直線に戻るように磁性部７１に作用する。この力が、永久磁石７７が磁性部７１を吸引する吸引力として作用する。この吸引力が、駆動側回転体５３の回転に追従してターンテーブル６１を回転させる回転力として、ターンテーブル６１に伝達される。
【０１０３】
また、磁性部７１において、永久磁石７７の磁界外の部分が周囲に対して磁気の影響を及ぼすことがない点も、第１および第２実施形態と同様である。
【０１０４】
第３実施形態においても、ターンテーブル６１の外周部に磁性部７１を設けたことによる効果は、第１実施形態と同様である。また、第３実施形態においても、磁性部７１を有するターンテーブル１１の下方部分を筐体４６内に埋め込み、非接触で駆動する状態を外部から視認させるための透明板４６ｃを設けたことによる効果は、第２実施形態と同様である。また、第３実施形態においても、第２実施形態と同様に、透明板４６ｃの大きさや形状は適宜変更が可能である。
【０１０５】
[第４実施形態］
図１４〜図１７は、第４実施形態を示す。第４実施形態のレコードプレーヤ８０は、ターンテーブルの外周部の内周面側に凸部および凹部を有する磁性部を設けたものである。第４実施形態では、第１〜第３実施形態と同一の部材については同一の符号を示して説明を省略し、第１〜第３実施形態との相違点を中心に説明する。
【０１０６】
レコードプレーヤ８０は、ターンテーブル８１と、駆動モータ８２と、非接触伝達機構８３と、トーンアーム１４と、筐体１６とを備える。
【０１０７】
ターンテーブル８１は、平面形状が円形をしており、切欠き８６を有する。切欠き８６は、ターンテーブル８１の外周部に沿った円弧状の切欠きであり、ターンテーブル８１の上面にレコード１７を載置するのに支障が無い程度の大きさに形成されている。スピンドル８８は、軸受け１９（図１５参照）に挿入されて回転自在に支持されている。スピンドル８８は、ターンテーブル８１の回転軸Ｒ４１を構成する。
【０１０８】
図１５および図１６に示すように、非接触伝達機構８３は、磁性部９１と、駆動側回転体９３とを備える。駆動側回転体９３は、駆動モータ８２の駆動軸８２Ａとリジッドに結合され、駆動モータ８２の駆動力により回転する。
【０１０９】
筐体１６に対する駆動モータ８２の取り付け構造は、上記第１実施形態の筐体１６に対する駆動モータ１２の取り付け構造と同様であり、保持部２９、防振ブッシュ３０Ａおよび段付きネジ３０Ｂを介して駆動モータ８２が筐体１６に取り付けられている。これにより、駆動モータ８２の振動がターンテーブル８１に伝達することを防止することができる。
【０１１０】
駆動側回転体９３は、保持部２９、防振ブッシュ３０Ａ、段付きネジ３０Ｂおよび駆動モータ８２を介して、筐体１６に回転自在に取り付けられている。駆動側回転体９３は、上記第１実施形態の駆動側回転体２８と同様に、円柱部３１と、永久磁石３２とが一体に設けられ、永久磁石３２は、例えば１８極に着磁されている。円柱部３１は、筐体１６から突出している駆動軸８２Ａによって中心が貫通され、駆動軸８２Ａと一緒に回転する。駆動軸８２Ａは、駆動側回転体９３の回転軸Ｒ４２を構成する。
【０１１１】
永久磁石３２は、駆動側回転体９３の外周部において、駆動側回転体９３の回転軸Ｒ４２と平行な外周面に設けられている。ターンテーブル８１と駆動側回転体９３とは、それぞれの回転軸Ｒ４１，Ｒ４２が平行な状態で、かつ、ターンテーブル８１の内周面と駆動側回転体９３の外周面とが対向する状態で配置されている。
【０１１２】
駆動側回転体９３は、上記第１実施形態の駆動側回転体２８と同様に、筐体１６の正面１６ｃから見て、ターンテーブル８１の回転軸Ｒ４１よりも背面側に配置されている。
【０１１３】
図１７に示すように、磁性部９１は、軟磁性体から形成され、ターンテーブル８１の外周部において全周に渡って設けられている。磁性部９１は、例えば、その外周面をターンテーブル８１の内周面に嵌合させて一体化している。磁性部９１は、ターンテーブル８１の外周部において，ターンテーブル８１の回転軸Ｒ４１と平行な内周面側に設けられている。磁性部９１は、永久磁石３２と部分的に対向する状態で配置され、永久磁石３２の磁力によって永久磁石３２からの吸引力が作用する。
【０１１４】
駆動側回転体９３は、磁性部９１と対向するようにターンテーブル８１の内部に配置されている。そのため、第１実施形態の構成に比べて駆動側回転体９３の磁力が周囲に与える影響が軽減される。すなわち、駆動側回転体９３がターンテーブル８１の内部に配置されことで駆動側回転体９３が発する磁力のシールド効果を高めることが可能になる。さらに、切欠き８６は、ターンテーブル８１内の駆動側回転体９３が配置される部分に対応する位置に配されている。切欠き８６は、駆動側回転体９３と磁性部９１とが対向する部分が視認できる大きさで形成されている。この切欠き８６を通して、駆動側回転体９３がターンテーブル８１を非接触で駆動する状態を外部から視認することが可能である。
【０１１５】
磁性部９１は、凸部９６と凹部９７とが等間隔で周方向に交互に配列して構成された内歯車形状を有する。凸部９６および凹部９７は、特許請求の範囲における第１部分および第２部分にそれぞれ相当する。
【０１１６】
凸部９６は、永久磁石３２と対向する部分において永久磁石３２に向かって突出する凸部である。本実施形態では、ターンテーブル８１の内周面と駆動側回転体９３の外周面とが対向して配されているため、凸部９６は、ターンテーブル８１の径方向に突出している。凹部９７は、凸部９６よりも永久磁石３２との間隔が開く方向に凹んでいる凹部である。これにより、凸部９６は凹部９７よりも永久磁石３２からの磁力の影響の大きさが相対的に大きく、凹部９７は凸部９６よりも永久磁石３２からの磁力の影響の大きさが相対的に小さくなっている。
【０１１７】
磁性部９１のうち永久磁石３２と対向する部分において、１つの凹部９７を挟んで隣接する２つの凸部９６の一方は永久磁石３２のＮ極と対向し、他方はＮ極に隣接するＳ極と対向するように、磁性部９１の各凸部９６の間隔が規定されている。本実施形態では、磁性部９１は、例えば、２１６個の凸部９６および凹部９７を有する。よって、駆動側回転体９３に対する磁性部９１の減速比、すなわち駆動モータ８２に対するターンテーブル８１の減速比は、上記第１〜第３実施形態と同様に１２：１である。
【０１１８】
非接触伝達機構８３は、上記第１〜第３実施形態の非接触伝達機構１３，４３，６３と同様に、ターンテーブル８１を非接触で駆動する。すなわち、軟磁性体である磁性部９１において、永久磁石３２の近傍に位置する部分は、永久磁石３２によって磁化される。例えば、磁性部９１において、永久磁石３２と対向する部分は、Ｎ極と対向する凸部９６がＳ極となり、Ｓ極と対向する凸部９６がＮ極となって吸引力が発生する。
【０１１９】
上記第１〜第３実施形態と同様に、永久磁石３２と磁性部９１との間に生じる磁束Ｍは、磁路が最短になるように形成される。各磁極間で磁束Ｍが湾曲すると、永久磁石３２の磁力は、磁束Ｍの磁路が最短になるように磁性部９１に作用する。この力が、永久磁石３２が磁性部９１を吸引する吸引力として作用する。この吸引力が、駆動側回転体９３の回転に追従してターンテーブル８１を回転させる回転力として、ターンテーブル８１に伝達される。
【０１２０】
本発明は、上記実施形態に限定されるものではなく、本発明の趣旨を逸脱しない範囲で適宜変更が可能である。上記第１実施形態では、駆動側回転体の永久磁石を露呈させているが、図１８に示すように、駆動側回転体２８の周囲を覆って磁力を遮蔽するシールド部材９９を設けた形態でもよい。この場合、シールド部材９９は、例えば軟磁性体から形成される。また、シールド部材９９は、切欠き９９ａを有しており、切欠き９９ａを通して磁性部２１が駆動側回転体２８と対向する。
【０１２１】
上記各実施形態では、筐体の内部に、防振ブッシュ３０Ａなどを介して駆動モータを取り付ける例を上げているが、図１９および図２０に示すように、筐体とは別体に設けた保持部材１０１に駆動モータを保持し、筐体に対して駆動モータを離して設置してもよい。これにより、駆動モータの振動がターンテーブルに伝達することを防止することができる。
【０１２２】
図１９及び図２０に示す例の場合、例えば、筐体１６には、側面からターンテーブル１１の近傍位置まで切り欠かれた切欠き１０２を形成し、この切欠き１０２の内部に駆動モータ１２を保持した保持部材１０１を設置する。これにより、磁性部と駆動側回転体を部分的に対向する位置に配することができるため、上記各実施形態と同様に、駆動モータの回転力をターンテーブルに非接触で伝達することができる。なお、図１９および図２０においては、トーンアーム１４、回転速度切替スイッチ２３、スタート／ストップスイッチ２４、電源ボタン２６などの図示を省略している。
【０１２３】
また、上記各実施形態では、磁性部を構成する軟磁性体として、電磁純鉄、ケイ素鉄などを用いているが、これに限らず、永久磁石の磁界中にある間だけ磁化されて、磁界外に退避すると磁力が残らない特性を持つものであればよく、例えば、炭素の含有量が少なく純鉄に近い鉄、ケイ素鋼、パーマロイ材などでもよく、その他、焼入れが不可能な鉄鋼材料でもよい。
【０１２４】
上記各実施形態では、駆動側回転体に対する磁性部の減速比を１２：１とする例を上げているが、駆動モータの回転ムラが少ない回転速度、永久磁石、磁性部の寸法等に応じて適宜変更してもよい
【０１２５】
上記各実施形態では、駆動側回転体を構成する永久磁石として円筒形状又は環状に形成されたものを使用しているが、これに限らず、円弧状に形成された複数の永久磁石を周方向に並べて配置してもよい。
【０１２６】
また、上記第２および第３実施形態では、駆動側回転体と磁性部とが対向する部分を外部から視認するための透明板が筐体に設けられているが、透明板に代えて、筐体に切欠きを形成してもよい。あるいは、上記第４実施形態では、ターンテーブルに切欠きを形成して、駆動側回転体と磁性部とが対向する部分を露呈させているが、ターンテーブルの少なくとも一部分を透明板にしてもよい。
【符号の説明】
【０１２７】
１０，４０，６０，８０  レコードプレーヤ
１１，４１，６１，８１  ターンテーブル
１１ａ  ボス
１２，４２，６２，８２  駆動モータ
１２Ａ，４２Ａ，６２Ａ，８２Ａ  駆動軸
１３，４３，６３，８３  非接触伝達機構
１４  トーンアーム
１６，４６  筐体
１６ａ  天板
１６ｂ  貫通穴
１６ｃ  正面
１７  レコード
１８，４８，６８，８８  スピンドル
２１，５１，７１，９１  磁性部
２２  脚部
２３  回転速度切替スイッチ
２４  ストップスイッチ
２６  電源ボタン
２７  カートリッジ
２８，５３，７３，９３  駆動側回転体
２９  保持部
２９ａ  基板
２９ｂ  スペーサ部材
２９ｃ  固定板
２９ｄ  貫通穴
３１  円柱部
３２  永久磁石
３３，７８，９６  凸部
３４，７９，９７  凹部
４６ａ  内部フレーム
４６ｂ  ケース
４６ｃ  透明板
４６ｄ  天板
４６ｅ  開口部
４６ｆ  貫通穴
４６ｇ  正面
５１ａ  開口部
５１ｂ  周面部
６１ａ  平面
７３ａ  平面
７６  円板部
７７  永久磁石
９９  シールド部材
１０１  保持部材
１０２  切欠き
【図１】
2019016419.tif 000003
【図２】
2019016419.tif 000004
【図３】
2019016419.tif 000005
【図４Ａ】
2019016419.tif 000006
【図４Ｂ】
2019016419.tif 000007
【図４Ｃ】
2019016419.tif 000008
【図５】
2019016419.tif 000009
【図６】
2019016419.tif 000010
【図７】
2019016419.tif 000011
【図８】
2019016419.tif 000012
【図９】
2019016419.tif 000013
【図１０】
2019016419.tif 000014
【図１１】
2019016419.tif 000015
【図１２】
2019016419.tif 000016
【図１３】
2019016419.tif 000017
【図１４】
2019016419.tif 000018
【図１５】
2019016419.tif 000019
【図１６】
2019016419.tif 000020
【図１７】
2019016419.tif 000021
【図１８】
2019016419.tif 000022
【図１９】
2019016419.tif 000023
【図２０】
2019016419.tif 000024